(57)【特許請求の範囲】
【請求項１】
本体を含み、前記本体の中には第一駆動空間が設けられ、前記第一駆動空間の上方には圧縮空間が設けられ、前記第一駆動空間の下方には廃水空間が設けられ、前記圧縮空間の中には空気圧縮装置が設けられ、前記空気圧縮装置により、空気を圧縮して前記廃水空間に送ることができ、前記廃水空間は左方へ補助空間と連通しており、前記廃水空間の中には泡除去装置が設けられ、前記泡除去装置により、廃水の加圧浮上法によってできた泡を前記補助空間に送ることができ、前記補助空間の下方には固液分離装置が設けられ、前記固液分離装置により、泡に含まれる固体不純物と液体不純物を分離させられ、前記空気圧縮装置は回動可能な第一伝動軸を含み、前記圧縮空間と、前記第一駆動空間と、前記廃水空間とは前記第一伝動軸によって連結され、前記圧縮空間において前記第一伝動軸には第一円盤が設けられ、前記第一円盤には第一案内溝が形成され、前記第一案内溝の中には第一羽根と第二羽根が摺動可能に設けられ、前記第一羽根と前記第二羽根とは第一ばねによって連結され、前記圧縮空間の右壁には入気口が形成され、前記入気口は前記本体の外部と連通しており、前記圧縮空間の右壁には第一導管が設けられ、前記第一駆動空間と前記廃水空間とは回動可能な第二導管によって連結され、前記第二導管は上方へ前記本体の外部まで延在しており、前記第一導管と前記第二導管とは管継手によって回動可能に連結され、前記第一駆動空間の上壁には第一モータが設けられ、前記第一モータの下部には第二伝動軸が回動可能に設けられ、前記第二伝動軸は下方に延在しており、前記第一駆動空間において前記第二伝動軸には第一プーリが固定され、前記第一駆動空間において前記第一伝動軸には、上方から下方へと順に第四プーリと第二プーリとが設けられ、前記第二プーリと前記第一プーリとは第一ベルトによって伝動可能に連結され、
前記第一モータが作動すると、前記第一プーリ、前記第二プーリ、前記第一ベルトによって前記第一伝動軸を回転させられ、前記第一伝動軸はさらに前記第一円盤を回転させ、前記第一円盤の回転による遠心力と、前記第一ばねの弾力とによって、前記第一羽根と前記第二羽根は常に前記圧縮空間の内壁と接触し、また前記第一円盤の回転により、前記入気口から入った空気は絶えず前記第一導管に押し込まれ、圧縮空気はさらに前記第二導管を介して前記廃水空間に送られることを特徴とする加圧浮上法に基づく廃水処理装置。
【請求項２】
前記泡除去装置は前記廃水空間の右壁に設けられた水管を含み、前記水管により廃水を前記廃水空間に送ることができ、前記廃水空間において前記第二導管には、上方から下方へと順に水位測定器と羽根車が固定され、前記水位測定器は前記水管から前記廃水空間に送る水の量を制御でき、前記廃水空間において前記第一伝動軸には第二円盤が固定され、前記第二円盤の下壁には複数のゴム片が前記第二円盤の円周方向に沿って環になるように配列され、前記第一駆動空間において前記第二導管には第三プーリが固定され、前記第三プーリと前記第四プーリとは第二ベルトによって伝動可能に連結されていることを特徴とする請求項１に記載の加圧浮上法に基づく廃水処理装置。
【請求項３】
前記固液分離装置は前記補助空間の下方に設けられた廃液空間を含み、前記廃液空間と前記補助空間とは第一導流溝によって連通され、前記廃液空間は下方へ廃棄物空間と連通しており、前記廃液空間の中には濾過桶が回動可能に設けられ、前記濾過桶の内周には螺旋羽根が固定され、前記螺旋羽根は前記第二伝動軸に固定され、前記廃液空間の左壁には第一電気制御開閉門が設けられ、前記廃棄物空間の下壁には第二電気制御開閉門が設けられていることを特徴とする請求項１に記載の加圧浮上法に基づく廃水処理装置。
【請求項４】
前記廃水空間の左壁には前記廃棄物空間と連通する補助溝が形成され、前記補助溝の上壁には第二案内溝が形成され、前記第二案内溝の中には第一隔離板が摺動可能に設けられ、前記第二案内溝の上壁には第一電磁石が固定され、前記第一電磁石と前記第一隔離板とは第二ばねによって連結されていることを特徴とする請求項１に記載の加圧浮上法に基づく廃水処理装置。
【請求項５】
前記廃水空間は下方へ第二駆動空間と連通しており、前記第二駆動空間は右方へ伝動空間と連通しており、前記廃水空間の右壁には前記伝動空間と連通する第二導流溝が形成され、前記第二導流溝の中にはフィルタが固定され、前記第二導流溝の上壁には第三案内溝が形成され、前記第三案内溝の中には第二隔離板が摺動可能に設けられ、前記第三案内溝の上壁には第二電磁石が固定され、前記第二電磁石と前記第二隔離板とは第三ばねによって連結され、前記第二導流溝の右側には第三導管が設けられ、前記第三導管により、濾過された廃液を前記本体の外部へ排出でき、前記第二駆動空間の中には残留物除去装置が設けられ、前記残留物除去装置により、廃液が排出された後に残された汚れを前記廃棄物空間に送られることを特徴とする請求項１に記載の加圧浮上法に基づく廃水処理装置。
【請求項６】
前記残留物除去装置は前記第二駆動空間の下壁に回動可能に設けられた第一補助ブロックを含み、前記第一補助ブロックの中にはネジ穴が形成され、前記廃水空間の中にはトレイが摺動可能に設けられ、前記トレイの下壁には前記ネジ穴とネジ山を介して連結されたボルトが固定され、前記第一補助ブロックには歯車が固定され、前記第一補助ブロックの下壁には第二モータが設けられ、前記第二モータの上壁には第三伝動軸が回動可能に設けられ、前記第三伝動軸には上方から下方へと順に、前記歯車と噛み合った第一扇形歯車と、第二扇形歯車が固定され、前記伝動空間の前壁と後壁とは回動可能な回動軸によって連結され、前記回動軸には二本のコンロッドが位置的に前後対称になるように設けられ、前記コンロッドの下部には第四案内溝が形成され、前後の前記第四案内溝の中には第一摺動ピンが摺動可能に設けられ、前記第二駆動空間の下壁には第二補助ブロックが固定され、前記第二補助ブロックには第五案内溝が形成され、前記第五案内溝の中には左右方向に延在し且つ前記第二扇形歯車と噛み合ったラックが摺動可能に設けられ、前記ラックにおいて前記第二補助ブロックから遠い方の末端は前記第一摺動ピンに固定され、前記コンロッドの上部には第六案内溝が形成され、前後の前記第六案内溝の中には第二摺動ピンが摺動可能に設けられ、前記廃水空間の右壁には前記伝動空間と連通する第七案内溝が形成され、前記第七案内溝の中には左右方向に延在する推動棒が摺動可能に設けられ、前記推動棒の右端は前記第二摺動ピンに固定され、前後の前記推動棒の左端には刮げ板が固定されていることを特徴とする請求項５に記載の加圧浮上法に基づく廃水処理装置。
【発明の詳細な説明】
【技術分野】
【０００１】
本願発明は廃水処理技術分野を取り上げ、特に加圧浮上法に基づく廃水処理装置に関わる。
【背景技術】
【０００２】
現在、生活や生産活動による廃水を処理する時に、よく加圧浮上法で廃水に含まれる油を処理する。加圧浮上法とは、主に水処理で用いられる処理方法の一つで、水の中に空気による微細な気泡を大量に発生させ、これを浮遊物質を含む水に混合して浮遊物質を捕えさせた後、気泡の浮力を利用して浮上させることにより、水から浮遊物質を取り除くものである。加圧浮上法を用いることで、油を水面に浮かべさせ、次に水面から取り除ける。しかし、廃水に含まれる一部の不純物は密度が高いため、浮上することができず、底で堆積して排水口を塞ぎ、設備の使用に響く。また、取り除かれた油に対し、基本的に一箇所に集め、さらなる処理を施さないため、汚染は依然として消え去らない。
【先行技術文献】
【特許文献】
【０００３】
【特許文献１】中国特許出願公開第１０１９８３９４１号明細書
【発明の概要】
【発明が解決しようとする課題】
【０００４】
加圧浮上法に基づく廃水処理装置を提供し、上記問題を解決することを目的とする。
【課題を解決するための手段】
【０００５】
本願に記載の加圧浮上法に基づく廃水処理装置は、本体を含み、前記本体の中には第一駆動空間が設けられ、前記第一駆動空間の上方には圧縮空間が設けられ、前記第一駆動空間の下方には廃水空間が設けられ、前記圧縮空間の中には空気圧縮装置が設けられ、前記空気圧縮装置により、空気を圧縮して前記廃水空間に送ることができ、前記廃水空間は左方へ補助空間と連通しており、前記廃水空間の中には泡除去装置が設けられ、前記泡除去装置により、廃水の加圧浮上法によってできた泡を前記補助空間に送ることができ、前記補助空間の下方には固液分離装置が設けられ、前記固液分離装置により、泡に含まれる固体不純物と液体不純物を分離させられ、前記空気圧縮装置は回動可能な第一伝動軸を含み、前記圧縮空間と、前記第一駆動空間と、前記廃水空間とは前記第一伝動軸によって連結され、前記圧縮空間において前記第一伝動軸には第一円盤が設けられ、前記第一円盤には第一案内溝が形成され、前記第一案内溝の中には第一羽根と第二羽根が摺動可能に設けられ、前記第一羽根と前記第二羽根とは第一ばねによって連結され、前記圧縮空間の右壁には入気口が形成され、前記入気口は前記本体の外部と連通しており、前記圧縮空間の右壁には第一導管が設けられ、前記第一駆動空間と前記廃水空間とは回動可能な第二導管によって連結され、前記第二導管は上方へ前記本体の外部まで延在しており、前記第一導管と前記第二導管とは管継手によって回動可能に連結され、前記第一駆動空間の上壁には第一モータが設けられ、前記第一モータの下部には第二伝動軸が回動可能に設けられ、前記第二伝動軸は下方に延在しており、前記第一駆動空間において前記第二伝動軸には第一プーリが固定され、前記第一駆動空間において前記第一伝動軸には、上方から下方へと順に第四プーリと第二プーリとが設けられ、前記第二プーリと前記第一プーリとは第一ベルトによって伝動可能に連結され、
前記第一モータが作動すると、前記第一プーリ、前記第二プーリ、前記第一ベルトによって前記第一伝動軸を回転させられ、前記第一伝動軸はさらに前記第一円盤を回転させ、前記第一円盤の回転による遠心力と、前記第一ばねの弾力とによって、前記第一羽根と前記第二羽根は常に前記圧縮空間の内壁と接触し、また前記第一円盤の回転により、前記入気口から入った空気は絶えず前記第一導管に押し込まれ、圧縮空気はさらに前記第二導管を介して前記廃水空間に送られる。
【０００６】
さらに、前記泡除去装置は前記廃水空間の右壁に設けられた水管を含み、前記水管により廃水を前記廃水空間に送ることができ、前記廃水空間において前記第二導管には、上方から下方へと順に水位測定器と羽根車が固定され、前記水位測定器は前記水管から前記廃水空間に送る水の量を制御でき、前記廃水空間において前記第一伝動軸には第二円盤が固定され、前記第二円盤の下壁には複数のゴム片が前記第二円盤の円周方向に沿って環になるように配列され、前記第一駆動空間において前記第二導管には第三プーリが固定され、前記第三プーリと前記第四プーリとは第二ベルトによって伝動可能に連結されている。
【０００７】
さらに、前記固液分離装置は前記補助空間の下方に設けられた廃液空間を含み、前記廃液空間と前記補助空間とは第一導流溝によって連通され、前記廃液空間は下方へ廃棄物空間と連通しており、前記廃液空間の中には濾過桶が回動可能に設けられ、前記濾過桶の内周には螺旋羽根が固定され、前記螺旋羽根は前記第二伝動軸に固定され、前記廃液空間の左壁には第一電気制御開閉門が設けられ、前記廃棄物空間の下壁には第二電気制御開閉門が設けられている。
【０００８】
さらに、前記廃水空間の左壁には前記廃棄物空間と連通する補助溝が形成され、前記補助溝の上壁には第二案内溝が形成され、前記第二案内溝の中には第一隔離板が摺動可能に設けられ、前記第二案内溝の上壁には第一電磁石が固定され、前記第一電磁石と前記第一隔離板とは第二ばねによって連結されている。
【０００９】
さらに、前記廃水空間は下方へ第二駆動空間と連通しており、前記第二駆動空間は右方へ伝動空間と連通しており、前記廃水空間の右壁には前記伝動空間と連通する第二導流溝が形成され、前記第二導流溝の中にはフィルタが固定され、前記第二導流溝の上壁には第三案内溝が形成され、前記第三案内溝の中には第二隔離板が摺動可能に設けられ、前記第三案内溝の上壁には第二電磁石が固定され、前記第二電磁石と前記第二隔離板とは第三ばねによって連結され、前記第二導流溝の右側には第三導管が設けられ、前記第三導管により、濾過された廃液を前記本体の外部へ排出でき、前記第二駆動空間の中には残留物除去装置が設けられ、前記残留物除去装置により、廃液が排出された後に残された汚れを前記廃棄物空間に送られる。
【００１０】
さらに、前記残留物除去装置は前記第二駆動空間の下壁に回動可能に設けられた第一補助ブロックを含み、前記第一補助ブロックの中にはネジ穴が形成され、前記廃水空間の中にはトレイが摺動可能に設けられ、前記トレイの下壁には前記ネジ穴とネジ山を介して連結されたボルトが固定され、前記第一補助ブロックには歯車が固定され、前記第一補助ブロックの下壁には第二モータが設けられ、前記第二モータの上壁には第三伝動軸が回動可能に設けられ、前記第三伝動軸には上方から下方へと順に、前記歯車と噛み合った第一扇形歯車と、第二扇形歯車が固定され、前記伝動空間の前壁と後壁とは回動可能な回動軸によって連結され、前記回動軸には二本のコンロッドが位置的に前後対称になるように設けられ、前記コンロッドの下部には第四案内溝が形成され、前後の前記第四案内溝の中には第一摺動ピンが摺動可能に設けられ、前記第二駆動空間の下壁には第二補助ブロックが固定され、前記第二補助ブロックには第五案内溝が形成され、前記第五案内溝の中には左右方向に延在し且つ前記第二扇形歯車と噛み合ったラックが摺動可能に設けられ、前記ラックにおいて前記第二補助ブロックから遠い方の末端は前記第一摺動ピンに固定され、前記コンロッドの上部には第六案内溝が形成され、前後の前記第六案内溝の中には第二摺動ピンが摺動可能に設けられ、前記廃水空間の右壁には前記伝動空間と連通する第七案内溝が形成され、前記第七案内溝の中には左右方向に延在する推動棒が摺動可能に設けられ、前記推動棒の右端は前記第二摺動ピンに固定され、前後の前記推動棒の左端には刮げ板が固定されている。
【発明の効果】
【００１１】
本願発明は以下のプラス効果を有する：本願発明はゴム片の回転により、廃水から泡を取り除き、また、濾過桶の回転による遠心力で、泡に含まれる液体不純物と固体不純物を分離させ、後続処理に有利であり、さらに、廃水空間に残された固体不純物を刮げ板で廃棄物空間に送り、第二導流溝が塞がることを避け、総じて、本願発明は操作が簡単で、制作コストが低く、廃水から密度の低い不純物を除去でき、また、除去された不純物を遠心力によって分離させ、さらに密度の高い不純物を集められる。
【図面の簡単な説明】
【００１２】
下記に図１〜７を合わせて本願発明について詳しく説明し、便利に説明するために、本願に記載の各方向を以下のように規定する：図１は本願発明の正面図であり、本願に記載の各方向は、図１における観察方向に基づくものである。
【００１３】
【図１】図１は本願発明の正面構成略図
【図２】図２は図１におけるＡ―Ａ部の構成略図
【図３】図３は図１におけるＢ―Ｂ部の構成略図
【図４】図４は図１における第二導流溝部の拡大構成略図
【図５】図５は図１における補助溝部の拡大構成略図
【図６】図６は図１における羽根車部の拡大構成略図
【図７】図７は図１における第二円盤部の拡大構成略図
【発明を実施するための形態】
【００１４】
図１〜図７を参照し、本願に記載の加圧浮上法に基づく廃水処理装置は、本体１０を含み、前記本体１０の中には第一駆動空間１９が設けられ、前記第一駆動空間１９の上方には圧縮空間２３が設けられ、前記第一駆動空間１９の下方には廃水空間３３が設けられ、前記圧縮空間２３の中には空気圧縮装置８０が設けられ、前記空気圧縮装置８０により、空気を圧縮して前記廃水空間３３に送ることができ、前記廃水空間３３は左方へ補助空間１７と連通しており、前記廃水空間３３の中には泡除去装置８１が設けられ、前記泡除去装置８１により、廃水の加圧浮上法によってできた泡を前記補助空間１７に送ることができ、前記補助空間１７の下方には固液分離装置８２が設けられ、前記固液分離装置８２により、泡に含まれる固体不純物と液体不純物を分離させられ、前記空気圧縮装置８０は回動可能な第一伝動軸７８を含み、前記圧縮空間２３と、前記第一駆動空間１９と、前記廃水空間３３とは前記第一伝動軸７８によって連結され、前記圧縮空間２３において前記第一伝動軸７８には第一円盤７６が設けられ、前記第一円盤７６には第一案内溝７５が形成され、前記第一案内溝７５の中には第一羽根２４と第二羽根２６が摺動可能に設けられ、前記第一羽根２４と前記第二羽根２６とは第一ばね２５によって連結され、前記圧縮空間２３の右壁には入気口７７が形成され、前記入気口７７は前記本体１０の外部と連通しており、前記圧縮空間２３の右壁には第一導管２７が設けられ、前記第一駆動空間１９と前記廃水空間３３とは回動可能な第二導管６１によって連結され、前記第二導管６１は上方へ前記本体１０の外部まで延在しており、前記第一導管２７と前記第二導管６１とは管継手２８によって回動可能に連結され、前記第一駆動空間１９の上壁には第一モータ２１が設けられ、前記第一モータ２１の下部には第二伝動軸１６が回動可能に設けられ、前記第二伝動軸１６は下方に延在しており、前記第一駆動空間１９において前記第二伝動軸１６には第一プーリ１８が固定され、前記第一駆動空間１９において前記第一伝動軸７８には、上方から下方へと順に第四プーリ２２と第二プーリ６４とが設けられ、前記第二プーリ６４と前記第一プーリ１８とは第一ベルト２０によって伝動可能に連結され、
前記第一モータ２１が作動すると、前記第一プーリ１８、前記第二プーリ６４、前記第一ベルト２０によって前記第一伝動軸７８を回転させられ、前記第一伝動軸７８はさらに前記第一円盤７６を回転させ、前記第一円盤７６の回転による遠心力と、前記第一ばね２５の弾力とによって、前記第一羽根２４と前記第二羽根２６は常に前記圧縮空間２３の内壁と接触し、また前記第一円盤７６の回転により、前記入気口７７から入った空気は絶えず前記第一導管２７に押し込まれ、圧縮空気はさらに前記第二導管６１を介して前記廃水空間３３に送られる。
【００１５】
有利なことに、前記泡除去装置８１は前記廃水空間３３の右壁に設けられた水管３１を含み、前記水管３１により廃水を前記廃水空間３３に送ることができ、前記廃水空間３３において前記第二導管６１には、上方から下方へと順に水位測定器３２と羽根車６２が固定され、前記水位測定器３２は前記水管３１から前記廃水空間３３に送る水の量を制御でき、前記廃水空間３３において前記第一伝動軸７８には第二円盤６９が固定され、前記第二円盤６９の下壁には複数のゴム片６３が前記第二円盤６９の円周方向に沿って環になるように配列され、前記第一駆動空間１９において前記第二導管６１には第三プーリ２９が固定され、前記第三プーリ２９と前記第四プーリ２２とは第二ベルト３０によって伝動可能に連結され、
前記第四プーリ２２、前記第三プーリ２９、前記第二ベルト３０によって前記第二導管６１を回転させ、前記第二導管６１はさらに前記羽根車６２を回転させることで、前記第二導管６１から前記廃水空間３３に送った水に含まれる空気をさらに小さく細かい気泡にし、また、前記ゴム片６３の回転により、できた泡を前記補助空間１７に送る。
【００１６】
有利なことに、前記固液分離装置８２は前記補助空間１７の下方に設けられた廃液空間１３を含み、前記廃液空間１３と前記補助空間１７とは第一導流溝１５によって連通され、前記廃液空間１３は下方へ廃棄物空間４４と連通しており、前記廃液空間１３の中には濾過桶１１が回動可能に設けられ、前記濾過桶１１の内周には螺旋羽根１４が固定され、前記螺旋羽根１４は前記第二伝動軸１６に固定され、前記廃液空間１３の左壁には第一電気制御開閉門１２が設けられ、前記廃棄物空間４４の下壁には第二電気制御開閉門４３が設けられ、
前記第二伝動軸１６の回転により、前記濾過桶１１を回転させることで、前記補助空間１７から前記濾過桶１１に流れ込む泡は高速回転による遠心力で、含まれる固体と液体が分離し、液体は前記濾過桶１１を介して前記廃液空間１３に流れ込み、さらに前記第一電気制御開閉門１２を開けることで液体を排出でき、対して固体は前記螺旋羽根１４に沿って前記廃棄物空間４４に落下し、さらに前記第二電気制御開閉門４３を開けることで固体を排出できる。
【００１７】
有利なことに、前記廃水空間３３の左壁には前記廃棄物空間４４と連通する補助溝６０が形成され、前記補助溝６０の上壁には第二案内溝６６が形成され、前記第二案内溝６６の中には第一隔離板６５が摺動可能に設けられ、前記第二案内溝６６の上壁には第一電磁石６８が固定され、前記第一電磁石６８と前記第一隔離板６５とは第二ばね６７によって連結されている。
【００１８】
有利なことに、前記廃水空間３３は下方へ第二駆動空間４２と連通しており、前記第二駆動空間４２は右方へ伝動空間３７と連通しており、前記廃水空間３３の右壁には前記伝動空間３７と連通する第二導流溝５０が形成され、前記第二導流溝５０の中にはフィルタ７０が固定され、前記第二導流溝５０の上壁には第三案内溝７３が形成され、前記第三案内溝７３の中には第二隔離板７１が摺動可能に設けられ、前記第三案内溝７３の上壁には第二電磁石７４が固定され、前記第二電磁石７４と前記第二隔離板７１とは第三ばね７２によって連結され、前記第二導流溝５０の右側には第三導管４９が設けられ、前記第三導管４９により、濾過された廃液を前記本体１０の外部へ排出でき、前記第二駆動空間４２の中には残留物除去装置８３が設けられ、前記残留物除去装置８３により、廃液が排出された後に残された汚れを前記廃棄物空間４４に送られる。
【００１９】
有利なことに、前記残留物除去装置８３は前記第二駆動空間４２の下壁に回動可能に設けられた第一補助ブロック４１を含み、前記第一補助ブロック４１の中にはネジ穴５５が形成され、前記廃水空間３３の中にはトレイ５８が摺動可能に設けられ、前記トレイ５８の下壁には前記ネジ穴５５とネジ山を介して連結されたボルト５７が固定され、前記第一補助ブロック４１には歯車５６が固定され、前記第一補助ブロック４１の下壁には第二モータ４０が設けられ、前記第二モータ４０の上壁には第三伝動軸５４が回動可能に設けられ、前記第三伝動軸５４には上方から下方へと順に、前記歯車５６と噛み合った第一扇形歯車５３と、第二扇形歯車５２が固定され、前記伝動空間３７の前壁と後壁とは回動可能な回動軸４７によって連結され、前記回動軸４７には二本のコンロッド４８が位置的に前後対称になるように設けられ、前記コンロッド４８の下部には第四案内溝４６が形成され、前後の前記第四案内溝４６の中には第一摺動ピン４５が摺動可能に設けられ、前記第二駆動空間４２の下壁には第二補助ブロック３９が固定され、前記第二補助ブロック３９には第五案内溝５１が形成され、前記第五案内溝５１の中には左右方向に延在し且つ前記第二扇形歯車５２と噛み合ったラック３８が摺動可能に設けられ、前記ラック３８において前記第二補助ブロック３９から遠い方の末端は前記第一摺動ピン４５に固定され、前記コンロッド４８の上部には第六案内溝３６が形成され、前後の前記第六案内溝３６の中には第二摺動ピン３５が摺動可能に設けられ、前記廃水空間３３の右壁には前記伝動空間３７と連通する第七案内溝７９が形成され、前記第七案内溝７９の中には左右方向に延在する推動棒３４が摺動可能に設けられ、前記推動棒３４の右端は前記第二摺動ピン３５に固定され、前後の前記推動棒３４の左端には刮げ板５９が固定され、
前記廃水空間３３から廃液を全部排出したら、前記第二モータ４０が前記第三伝動軸５４を駆動して回転させ、前記第三伝動軸５４は前記第一扇形歯車５３と前記歯車５６の噛み合いによって前記第一補助ブロック４１を回転させ、前記第一補助ブロック４１は前記ネジ穴５５と前記ボルト５７の連結によって前記トレイ５８を上昇させ、前記トレイ５８の上壁が前記補助溝６０の下壁と面一になったら、前記第一扇形歯車５３は前記歯車５６と噛み合わなくなり、また前記第二扇形歯車５２は前記ラック３８と噛み合うようになり、前記ラック３８をつれて前記第五案内溝５１に沿って右方へ移動させ、前記コンロッド４８は連動して前記回動軸４７をめぐって反時計回りへ回転し、さらに前記推動棒３４を前記第七案内溝７９に沿って左方へ移動させ、前記刮げ板５９により、前記トレイ５８にある汚れを前記補助溝６０から前記廃棄物空間４４に送り、前記刮げ板５９が前記補助溝６０の左端まで移動したら、前記第二モータ４０を逆回転させることで、前記残留物除去装置８３は復位する。  
【００２０】
はじめに、廃水を前記水管３１から前記廃水空間３３に注ぎ、前記第二電磁石７４と前記第一電磁石６８は停電状態にあるため、前記第二導流溝５０と前記補助溝６０は閉じ、廃水の流出を避けられ、水位が前記水位測定器３２の位置に至ると、水入れを止め、前記刮げ板５９は前記廃水空間３３の右壁と接触することで、前記第七案内溝７９を塞ぎ、また、前記トレイ５８は前記廃水空間３３の底部に位置し、前記第一扇形歯車５３は前記歯車５６とちょうど噛み合おうとしている。
【００２１】
作業に当たって、前記第一モータ２１が作動して前記第二伝動軸１６を回転させ、前記第二伝動軸１６は、前記第一ベルト２０、前記第一プーリ１８、前記第二プーリ６４によって前記第一伝動軸７８を回転させ、前記第一伝動軸７８はさらに前記第一円盤７６を回転させることで、空気を前記空気圧縮装置８０によって前記廃水空間３３にある廃水に送って気泡を生じ、また、前記第一伝動軸７８は前記第四プーリ２２、前記第二ベルト３０、前記第三プーリ２９によって前記第二導管６１を回転させ、前記第二導管６１はさらに前記羽根車６２を回転させ、前記羽根車６２は前記廃水空間３３に送られた空気からできた気泡をより小さく細かくし、廃水に含まれる密度の低い不純物が気泡につき、廃水表面に泡の層を生み出し、
泡除去に当たって、前記第一伝動軸７８は前記第二円盤６９を回転させ、前記ゴム片６３によって泡を前記補助空間１７に押し込み、且つ泡は前記濾過桶１１に流れ込み、さらに前記固液分離装置８２によって液体不純物と固体不純物に分けられ、液体不純物は前記濾過桶１１を介して前記廃液空間１３に入り、固体不純物は前記螺旋羽根１４に沿って前記廃棄物空間４４に落下し、
廃水から密度の低い不純物を分離させたら、前記第二電磁石７４を通電状態にし、前記第二隔離板７１が続いて上昇し、廃水は前記フィルタ７０に濾過された後に、前記第三導管４９を介して前記本体１０から排出され、
廃水を全部排出したら、密度の高い不純物は前記トレイ５８に落ち、また、前記フィルタ７０の妨害により、密度の高い不純物は除去されないため、前記トレイ５８にある固体不純物を除去する必要があり、
除去に当たって、前記第一電磁石６８を通電状態にし、前記第一隔離板６５を前記第二案内溝６６に引き込み、また、前記第二モータ４０が作動して前記第三伝動軸５４を回転させ、、前記第三伝動軸５４は前記第一扇形歯車５３と前記歯車５６の噛み合いによって前記第一補助ブロック４１を回転させ、前記第一補助ブロック４１は前記ネジ穴５５と前記ボルト５７の連結によって前記トレイ５８を上昇させ、前記第一扇形歯車５３が前記歯車５６と噛み合わなくなったら、前記トレイ５８の上壁がちょうど前記補助溝６０の下壁と面一になり、また、前記第二扇形歯車５２は前記ラック３８と噛み合い、前記第三伝動軸５４は前記第二扇形歯車５２と前記ラック３８との噛み合いによって前記ラック３８を右方へ移動させ、前記ラック３８は前記第一摺動ピン４５、前記コンロッド４８、前記第二摺動ピン３５によって前記推動棒３４を左方へ移動させ、前記推動棒３４が移動する中で、前記刮げ板５９と前記トレイ５８との接触により、前記トレイ５８にある固体不純物を前記廃棄物空間４４に押し込み、全部押し込んだら、前記第二モータ４０を逆回転させることで、復位を行う。
【００２２】
以上の方式により、当該分野の技術者は本願発明の範囲内で作業状況に応じて様々な改変を加えることができる。
【要約】
【課題】本願は加圧浮上法に基づく廃水処理装置を開示した。
【解決手段】
本願に記載の加圧浮上法に基づく廃水処理装置は、本体を含み、前記本体の中には第一駆動空間が設けられ、前記第一駆動空間の上方には圧縮空間が設けられ、前記第一駆動空間の下方には廃水空間が設けられ、前記圧縮空間の中には空気圧縮装置が設けられ、前記空気圧縮装置により、空気を圧縮して前記廃水空間に送ることができ、前記廃水空間は左方へ補助空間と連通しており、前記廃水空間の中には泡除去装置が設けられ、前記泡除去装置により、廃水の加圧浮上法によってできた泡を前記補助空間に送ることができ、前記補助空間の下方には固液分離装置が設けられ、前記固液分離装置により、泡に含まれる固体不純物と液体不純物を分離させられる。
【選択図】図１【図１】
0006811366.tif 000002
【図２】
0006811366.tif 000003
【図３】
0006811366.tif 000004
【図４】
0006811366.tif 000005
【図５】
0006811366.tif 000006
【図６】
0006811366.tif 000007
【図７】
0006811366.tif 000008